(57)【特許請求の範囲】
【請求項１】
斜め上下方向に平行に配置した上弦材及び下弦材とこれらの弦材間に交互に連結した複数の竪材及び横材とで構成したトラス構造の側桁と、側桁に固定する複数の段板とを備え、竪材の上端部と横材の前端部と上弦材とが同一のボルトとナットで固定してあり、竪材の下端部と横材の後端部と下弦材とが同一のボルトとナットで固定してあり、段板はベース材とベース材の上部に設けた踏板とから成り且つ横材に固定してあり、ボルトの頭部及びナットのうちの一方が上弦材及び下弦材の内部にあり、他方がベース材と踏板の間にあることを特徴とする階段。
【発明の詳細な説明】
【０００１】
【発明の属する技術分野】
本発明は、階段に関する。
【０００２】
【従来の技術】
特開昭６４−３９４６６号公報や特開平１１−２２１８１号公報には、側桁をトラス構造とした手摺付き階段が開示されている。
【０００３】
【発明が解決しようとする課題】
しかし、上述の公報に開示の技術ではいずれも、トラス構造を構成している竪材と横材とを固定するボルトの頭が外側から見えるものであり、外観を害するという不都合がある。
また、手摺の竪格子をトラス構造の構成部材としているため、手摺のない階段や、パネル構造を有する他の手摺等にデザイン変更ができないという問題がある。
そこで、本発明は、外観が良好で、且つ手摺のデザイン変更や手摺の付くものと付かないものとの変更が容易なトラス構造の階段の提供を目的とする。
【０００４】
【課題を解決するための手段】
請求項１に記載の発明は、斜め上下方向に平行に配置した上弦材及び下弦材とこれらの弦材間に交互に連結した複数の竪材及び横材とで構成したトラス構造の側桁と、側桁に固定する複数の段板とを備え、竪材の上端部と横材の前端部と上弦材とが同一のボルトとナットで固定してあり、竪材の下端部と横材の後端部と下弦材とが同一のボルトとナットで固定してあり、段板はベース材とベース材の上部に設けた踏板とから成り且つ横材に固定してあり、ボルトの頭部及びナットのうちの一方が上弦材及び下弦材の内部にあり、他方がベース材と踏板の間にあることを特徴とする。
【０００５】
この請求項１に記載の発明では、トラス構造の側桁において、竪材の上端部と横材の前端部と上弦材とを同一のボルトとナットで固定し、竪材の下端部と横材の後端部と下弦材とを同一のボルトとナットで固定しており、三者を一つのボルトとナットで同時に固定するので、少ない工数で組み立てできる。
各ボルトとナットとは一方を上弦材及び下弦材の内部に設け、他方をベース材と踏板の間に配置するので、ボルト及びナットが外側から見えず、外観が良い。
トラス構造は、横材と竪材とで構成し、手摺の竪格子をトラス構造部材としていないので、手摺のない階段にすることもできるし、手摺を取り付けたい場合には、側桁に手摺を後付けできるので、手摺のある階段と手摺のない階段とのいずれにも対応することができる。
更に、パネル付きの手摺や格子状の手摺等、手摺のデザインの変更があっても、側桁のトラス構造に関係なく変更できる。
上弦材には、上端に竪材の上端を覆う被覆部を設けることが好ましい。この被覆部は、上弦材の長手方向に沿って設けて、竪材の上端小口を覆い隠すので外観がよく、竪材上端にキャップを設けなくて済む。
【０００６】
【発明の実施の形態】
以下に、添付図面を参照して本発明の実施の形態を詳細に説明する。図１の（ａ）は図３に示す階段のＡ−Ａ断面図であり、（ｂ）は（ａ）に示すＢ−Ｂ断面図であり、図２は図１（ａ）に示すＣ部の分解斜視図であり、図３は本発明の実施の形態にかかる階段の側面図である。
本実施の形態にかかる階段１は、室内の壁側に沿って設けられており、本実施の形態では、トラス構造の側桁３、３と、側桁に固定した複数の段板５とから構成されており、一方の側桁３には手摺７が取り付けられている。
側桁３、３は、斜め上下方向に平行に配置した上弦材９及び下弦材１１と、上弦材９及び下弦材１１と間にトラス構造を構成する複数の竪材１３及び横材１５とから構成されている。上弦材９、下弦材１１、竪材１３及び横材１５は、それぞれアルミニウム合金製である。上弦材９及び下弦材１１は、それぞれ横断面矩形で内部が中空形状となっており、その長手方向には内部の所定位置にナット３３、３７が取り付けられている。上弦材９には、上端に竪材１３の上端を覆う被覆部１７が設けられている。この被覆部１７は、上弦材９の上部に上弦材９の長手方向に沿って設けてあり、被覆部１７が竪材１３の上端小口を覆い隠すので外観がよく、竪材上端にキャップを設けなくて済む。
横材１５は、段板５の受け部１９を備えており、受け部１９は水平方向に突出して段板１５を受けるとともに受け部１９に段板５が螺子１８により固定されている。
段板５は、ベース材２３と踏板２５とから構成されており、踏板２５はベース材２３の上部に設けている。ベース材２３には、前端２３ａ及び後端２３ｂにそれぞれボルト３１、３５の頭３１ａ、３５ａを収納する凹部が形成されており、踏板２５と凹部とで囲まれた収納空間２６にボルトの頭が収納され、階段の外側から見えないようになっている。
また、ベース材２３には、前端２３ａと後端２３ｂとの間に、横材１５の受け部２９の挿入空間２９が設けられており、この挿入空間２９に上述した横材の受け部１９が挿入され、ベース材２３が受け部１９に上から螺子２１により固定されている。
次に、側桁３のトラス構造について説明する。上弦材９と横材１５の前端部１５ａとの間に竪材１３の上端部１３ａを挟むようにしてこれらを重ねて同一のボルト３１とナット３３で固定してあり、下弦材１１と横材１５の後端部１５ｂとの間に竪材１３の下端部１３ｂを挟むようにしてこれらを重ねて同一のボルト３５とナット３７で固定してある。
ボルト３１の軸３１ａ及びこれに螺合するナット３３は上弦材９の内部（中空）２７内にあり、ボルト３５の軸３５ｂ及びこれに螺合するナット３７は下弦材１１の中空３９内にあり外側から見えない。
ボルト３１の頭部３１ａはベース材２３の前端部２３ａにおいてベース材２３と踏板２５の間に位置し、ベース材２３と踏板２５とで形成されるボルトの収納空間２６内にあり、ボルト３５の頭部３５ａはベース材２３の後端部２３ｂにおいて、同様に、ベース材２３と踏板２５の間に位置し、ベース材２３と踏板２５とで形成される収納空間２６内にあり、階段の外側から見えない。
手摺７は、竪格子４１と、竪格子４１、４１間に取り付けたパネル４４とから構成されており、本実施の形態では、階段の一側（正面から見て左側）にのみ取り付けている。手摺７の竪格子４１は、竪材１３にビス４５により固定されているが、竪材１３と竪格子４１との間にはスペーサ４３が介在され、竪格子４１を止めるビス４５はスペーサ４３を挿通して止められている。
【０００７】
次に、本実施の形態にかかる階段の組み立て及び作用について説明する。平行に配置した上弦材９と下弦材１１において、段板５の前端では、横材１５の前端１５ａと上弦材９との間に竪材１３の上端１３ａを挟むようにして三者を重ね、横材１５側から上弦材９にボルト３１の軸３１ｂを通し、上弦材９の内部に予め取り付けられているナット３３に螺合し固定する。同様に、段板５の後端では、横材１５の後端１５ｂと下弦材１１との間に竪材１３の下端１３ｂを挟むようにして三者を重ね、横材１５側から下弦材１１にボルト３５の軸３５ｂを通し、下弦材１１の内部に予め取り付けられているナット３７に螺合し固定する。このようにして、上弦材９と下弦材１１とに、竪材１３及び横材１５を取り付けて側桁３にトラス構造を構成する。左右の側桁３、３間の横材１５、１５にそれぞれ設けられている受け部１９、１９をそれぞれベース材２３の側部から挿入空間２９に挿入し、ベース材２３の上面から螺子１８によりベース材２３と受け部１９を固定する。そして、ベース材２３の上面に踏板２５を載せ、後端側から螺子４７により固定する。
トラス構造を構成する横材１５、竪材１３を上弦材９と下弦材１１に固定するボルト３１、３５の頭３１ａ、３５ａはベース材２３と踏板２５との間にあり外から見えないとともに、ボルト３１、３５に螺合するナット３３、３７は上弦材９及び下弦材１１の内部にあるので、外から見えず、外観が良い。
また、側桁３のトラス構造は、上弦材９、下弦材１１、竪材１３及び横材１５とで構成しており、手摺の竪格子４１をトラス構造に用いていないので、手摺のないトラス構造の階段として用いることもできる。
一方、手摺７を取り付ける場合には、上弦材９と横弦材１１との間にスペーサ４３を設け、手摺７の竪格子４１の下端を下弦材１１の上に載せるようにして配置し、竪材１３側から竪材１３、スペーサ４３及び竪格子４１を貫通するビス４５で固定する。このように、手摺７は側桁３に固定するので、手摺は後付けでき、手摺７を取り付ける場合と取り付けない場合のいずれにも対応することができる。
また、手摺７は後付けできるから、任意のデザインのものへの変更やパネルのあるものやないもの等、いずれのものも取り付けることができる。
本実施の形態では、ノックダウンによる組み立てができるので、入口が狭い室内であっても各部品を搬入して組み立てできる。
尚、竪材１３、横材１５、上弦材９、下弦材１１長さや切断角度、ボルト挿通孔の位置等は仕様に合わせて適宜変更自在である。
【０００８】
本発明は、上述した実施の形態に限らず、本発明の要旨を逸脱しない範囲で種々変形可能である。
例えば、手摺７はなくても良い。また、手摺７がある場合においては、手摺７にパネル４４がなくてもよい。
手摺７の取り付けは、スペーサ４３を設けないで、側桁３に直接取り付けるものであってもよい。
ボルト３１、３３の頭３１ａ、３３ａをそれぞれ上弦材９及び下弦材１１の内部に設け、ナット３３、３７をそれぞれベース部材２３と踏板２５との間に設けてもよい。
横板１５に受け部１９を設けないで、横板１５にベース材２３を横から螺子により固定するものであってもよい。
上弦材９及び下弦材１１には、ボルト又はナットを取り付ける側の面に上弦材９及び下弦材１１の長手方向に沿ってボルトの挿通溝を設けてもよい。
上弦材９と下弦材１１の断面形状は、同じものであってもよいし、異なるものであってもよい。また、上述した実施の形態では、手摺のある側の下弦材（左側の下弦材）と手摺のない側の下弦材は異なる断面形状にしているが、同じ断面形状であってもよい。
手摺７を設ける側の下弦材１１の断面を長四角形状として手摺７の竪格子４１の下端を下弦材１１で受けることに限らず、手摺７を設ける側の上弦材９を上弦材と同様な断面正方形して竪格子４１は下弦材１１の横に配置してもよい。
本発明の階段は、建物の屋内に設けるものに限らず、建物の外に設けるものや、工事現場での作業用階段として用いてもよい。
【０００９】
【発明の効果】
請求項１に記載の発明によれば、側桁において、トラス構造を構成する各部材を固定するボルトとナットとは、一方を上弦材及び下弦材の内部に設け、他方をベース材と踏板の間に配置するので、ボルト及びナットが外側から見えず、外観が良い。
トラス構造は、横材と竪材とで構成し、手摺の竪格子をトラス構造部材としていないので、手摺のない階段にすることもできるし、手摺を取り付けたい場合には、側桁に手摺を後付けできるので、手摺のある階段と手摺のない階段とのいずれにも対応することができる。
パネル付きの手摺や格子状の手摺等、手摺のデザインの変更があっても、側桁のトラス構造に関係なく変更できる。
【図面の簡単な説明】
【図１】（ａ）は図３に示す階段のＡ−Ａ断面図であり、（ｂ）は（ａ）に示すＢ−Ｂ断面図である。
【図２】図１（ａ）に示すＣ部の分解斜視図である。
【図３】本発明の実施の形態にかかる階段の側面図である。
【符号の説明】
１    階段
３    側桁
５    段板
９    上弦材
１１  下弦材
１３  竪材
１５  横材
２３  ベース材
２５  踏板
２７  内部
３１、３５  ボルト
３１ａ、３５ａ  ボルトの頭
３３、３７  ナット
【図１】
0003956769.tif 000002
【図２】
0003956769.tif 000003
【図３】
0003956769.tif 000004